(57)【特許請求の範囲】
【請求項１】
目的地名を表わす目的地表示情報の画像と目的地への方向に歩く動作をする行動画像とを含む経路案内情報を格納した記憶部を備えた中央制御端末と通信部を介して接続されると共に、当該目的地への経路を案内する経路案内画面を表示部に表示させる制御部を備えた情報表示端末であって、
時刻を検出する時計部、並びに設置場所周辺の通行量又は明るさを検出するセンサ部を有し、
前記制御部は、前記中央制御端末の前記記憶部より前記経路案内情報を取得し、前記時計部からの前記時刻、並びに前記センサ部からの前記通行量又は前記明るさについての検出結果に応じて当該経路案内情報を前記経路案内画面に表示すると共に、当該経路案内画面について、前記行動画像における人物画像が歩く方向の先であって、当該行動画像の前側領域に前記目的地表示情報の画像を表示することを特徴とする情報表示端末。
【請求項２】
請求項１記載の情報表示端末において、
前記制御部は、前記センサ部からの前記通行量が所定値を超過した検出結果を示す場合、前記行動画像における人物画像の歩きを速くすることを特徴とする情報表示端末。
【請求項３】
請求項１記載の情報表示端末において、
前記制御部は、前記時計部からの前記時刻が所定の時間帯にある検出結果を示す場合、前記行動画像における人物画像の歩きを速くするか、或いは遅くすることを特徴とする情報表示端末。
【請求項４】
請求項１〜３の何れか１項記載の情報表示端末において、
前記制御部は、前記経路案内画面について、前記行動画像における人物画像が通路上を歩いているように表示し、当該通路を当該行動画像における人物画像の歩く方向とは逆方向に移動して表示することを特徴とする情報表示端末。
【請求項５】
請求項１〜４の何れか１項記載の情報表示端末において、
前記制御部は、前記表示部に対して案内する目的地を異にする複数の異なる前記経路案内画面を所定時間毎に逐次繰り返し表示することを特徴とする情報表示端末。
【請求項６】
請求項１〜４の何れか１項記載の情報表示端末において、
前記制御部は、前記表示部に対して案内する目的地を異にする複数の異なる前記経路案内画面を異なる領域で同時に表示することを特徴とする情報表示端末。
【請求項７】
請求項１記載の情報表示端末において、
前記行動画像における人物画像は、前記表示部で前記目的地表示情報の画像の表示位置方向に歩いて移動することを特徴とする情報表示端末。
【請求項８】
請求項１〜７の何れか１項記載の情報表示端末において、
携帯情報端末であることを特徴とする情報表示端末。
【発明の詳細な説明】
【技術分野】
【０００１】
本発明は、目的地への案内情報を表示する情報表示端末に関する。
【背景技術】
【０００２】
駅構内やデパート内などの複数の施設（出入り口，改札口，エレベータ，トイレなど）などが存在する構造物内には、夫々の場所毎に、夫々の施設へ利用者を案内するために、目的施設への案内情報を表示した案内端末（サイン端末）が設置されている。かかる案内端末としては、その設置位置から目的施設への方向が矢印で示されるとともに、その施設名も文字表示している。そこで、利用者は、今いる場所から行きたい場所（目的施設）にいく場合、その目的施設へ案内する案内端末の表示内容を見ることにより、その目的施設への進むべき方向を確認することができる。
【０００３】
ところで、かかる案内端末で矢印で目的施設の方向を示す場合、その矢印は現在位置からの進むべき方向を表わしているものであるが、その目的施設への方向によっては、矢印を見ても、その矢印が平面的に表示されているので、その方向を明確に把握できない場合もある。例えば、矢印が真横を向いて表示されている場合、目的施設の方向が現在位置から真横の方向であると解釈する場合もあるし、あるいはまた、少し進んで真横に曲がるとも解釈する場合もある。矢印が斜め上を向いて表示されている場合、このまま少し進むと斜めに進む通路があり、その通路に沿って進むものと解釈する場合もあるし、そのまま少し進むと階段があって、それを登るものと解釈する場合もある。
【０００４】
これに対し、各施設をアイコンで表示するようにした技術も提案されている（例えば、特許文献１参照）。
【０００５】
この特許文献１に記載の技術は、エスカレータ，動く歩道，タクシ乗り場などの施設毎に、その施設を案内する動画のアイコンを表示するものである。例えば、エスカレータの場合、このエスカレータの上り口に、人がエスカレータの上り口から入ってこのエスカレータに乗り、このエスカレータが上昇していって階上の下り口から出る状態をアイコンで表わした動画のアニメーションで表示するものである。これによると、このエスカレータの上り口での、エスカレータが上昇するという、エスカレータの移動方向を認識することができるものである。
【０００６】
また、他の例として、目的地への案内地図を表示するタッチパネルとその案内経路に沿う風景画像を表示するディスプレイとを用いて目的地までの案内を行なうようにした技術が提案されている（例えば、特許文献２参照）。
【０００７】
この特許文献２に記載の技術は、利用者がこのタッチパネルで目的地の指定操作をすると、このタッチパネルに目的地までの経路を示す案内地図が表示され、これとともに、ディスプレイにこの案内経路に沿う風景画像が表示される。利用者は、この風景画像を記憶しながらこの案内経路に沿って進み、その進んだときに目にする実際の風景と記憶した風景画像とを対比し、これにより、案内経路から外れないようにするものである。
【先行技術文献】
【特許文献】
【０００８】
【特許文献１】特開２００７−２４９０９５号公報
【特許文献２】特開２００７−２４８２７９号公報
【発明の概要】
【発明が解決しようとする課題】
【０００９】
ところで、上記特許文献１の技術は、エスカレータ，動く歩道，タクシ乗り場などの施設の動作を示すものであって、利用者がその施設を容易に利用できるようにしたものである。この場合、かかる施設を利用した場合の利用者の状態もアイコンで表示されるものであるから、利用者はその施設の利用の仕方も理解することができる。
【００１０】
しかし、この引用文献１に記載の技術では、かかる施設までの経路を案内するものではない。かかる施設は案内地図上でその位置が示されるものであり、利用者としては、この案内地図を基に目的地への方向や経路を判断しなければならない。
【００１１】
また、上記特許文献２に記載の発明では、目的地までの経路に沿う風景の画像が表示されるものであるから、これを基に、進んでいる経路が目的地への正しい経路であるかどうかを判断することができるものであるが、このためには、ディスプレイで表示された経路に沿う風景画像を正確に記憶しておく必要があり、また、これとともに、タッチパネルに表示された経路も覚えておくことが必要である。このように、記憶していなければならない情報が多くなり、記憶に大きな負担が掛かることになる。
【００１２】
本発明の目的は、かかる問題を解消し、目的地の方向を迅速かつ確実に把握することができ、利用者に負担を掛けることなく、目的地への案内を実行可能とした情報表示端末を提供することにある。
【課題を解決するための手段】
【００１３】
上記目的を達成するため、本発明の第１の手段は、目的地名を表わす目的地表示情報の画像と目的地への方向に歩く動作をする行動画像とを含む経路案内情報を格納した記憶部を備えた中央制御端末と通信部を介して接続されると共に、当該目的地への経路を案内する経路案内画面を表示部に表示させる制御部を備えた情報表示端末であって、時刻を検出する時計部、並びに設置場所周辺の通行量又は明るさを検出するセンサ部を有し、制御部は、中央制御端末の記憶部より経路案内情報を取得し、時計部からの時刻、並びにセンサ部からの通行量又は明るさについての検出結果に応じて当該経路案内情報を経路案内画面に表示すると共に、当該経路案内画面について、行動画像における人物画像が歩く方向の先であって、当該行動画像の前側領域に目的地表示情報の画像を表示することを特徴とする。
【００１４】
本発明の第２の手段は、第１の手段において、制御部は、センサ部からの通行量が所定値を超過した検出結果を示す場合、行動画像における人物画像の歩きを速くすることを特徴とする。
【００１５】
本発明の第３の手段は、第１の手段において、制御部は、時計部からの時刻が所定の時間帯にある検出結果を示す場合、行動画像における人物画像の歩きを速くするか、或いは遅くすることを特徴とする。
【００１６】
本発明の第４の手段は、第１の手段〜第３の手段の何れか１つの手段において、制御部は、経路案内画面について、行動画像における人物画像が通路上を歩いているように表示し、当該通路を当該行動画像における人物画像の歩く方向とは逆方向に移動して表示することを特徴とする。
【００１７】
本発明の第５の手段は、第１の手段〜第４の手段の何れか１つの手段において、制御部は、表示部に対して案内する目的地を異にする複数の異なる経路案内画面を所定時間毎に逐次繰り返し表示することを特徴とする。
【００１８】
本発明の第６の手段は、第１の手段〜第４の手段の何れか１つの手段において、制御部は、表示部に対して案内する目的地を異にする複数の異なる経路案内画面を異なる領域で同時に表示することを特徴とする。
【００１９】
本発明の第７の手段は、第１の手段において、行動画像における人物画像は、表示部で目的地表示情報の画像の表示位置方向に歩いて移動することを特徴とする。
【００２０】
本発明の第８の手段は、第１の手段〜第７の手段の何れか１つの情報表示端末が携帯情報端末であることを特徴とする。
【発明の効果】
【００２５】
本発明の情報表示端末によれば、制御部が時計部からの時刻、並びにセンサ部からの通行量又は明るさについての検出結果に応じて中央制御端末の記憶部から取得した経路案内情報を表示部に対して経路案内画面として表示する際、歩いている状態で表示される行動画像における人物画像の前側に目的地名を表わす目的地表示情報の画像を表示するので、目的地表示情報の画像が目立ち易くなって、経路案内画面が経路案内する目的地を無駄なく自動的に表示させて迅速かつ的確に把握できるようになる。
【図面の簡単な説明】
【００２６】
【図１】本発明による情報表示端末の表示の概念を示す図である。
【図２】本発明による情報表示端末の一実施形態とこれに接続された中央制御端末とからなる情報表示システムの一具体例を示すシステム構成図である。
【図３】図２における情報表示端末で表示される経路案内画像の具体例を示す図である。
【図４】図２における情報表示端末に表示される経路案内画像の他の具体例を示す図である。
【図５】図３，図４に示す情報表示端末とは設置状態が異なる情報表示端末に表示される経路案内画像の具体例を示す図である。
【図６】図３〜図５に示す具体例とは異なる方向の案内経路を示す経路案内情報の画像の他の具体例を示す図である。
【図７】電車の乗降車口に設けられる情報表示端末での案内経路画像の一具体例を示す図である。
【図８】図３，図４に示す情報表示端末で表示される経路案内画像と図５に示す情報表示端末で表示される経路案内画像との他の表示例を示す図である。
【図９】図８に示す具体例の経路案内画像の変形例を示す図である。
【図１０】図１に示す情報表示端末で表示される経路案内画面のさらに他の具体例を示す図である。
【図１１】図１に示す情報表示端末で表示される経路案内画面のさらに他の具体例を示す図である。
【図１２】図１に示す情報表示端末で表示される経路案内画面のさらに他の具体例を示す図である。
【図１３（Ａ）】図１に示す情報表示端末で表示される経路案内画面のさらに他の具体例の一例を示す図である。
【図１３（Ｂ）】図１３（Ａ）に示す経路案内画面を表示する情報表示端末で表示される経路案内画面の他の例を示す図である。
【図１３（Ｃ）】図１３（Ａ）に示す経路案内画面を表示する情報表示端末で表示される経路案内画面のさらに他の例を示す図である。
【図１４】図１に示す情報表示端末で表示される経路案内画面のさらに他の具体例を示す図である。
【図１５】図２での情報表示端末としての携帯端末に表示される経路案内画面の一具体例を示す図である。
【発明を実施するための形態】
【００２７】
まず、本発明の概念について説明する。
【００２８】
人間には、他人の動きを真似しようとする性質があるといわれている。これをミラーニューロンという。そこで、図１（ａ）に示されるように、表示画面１００の中央部に、図１（ｂ）に示すように左方向に歩いている動作をしている人物画像１０１が表示されると（但し、図１（ａ）での人物画像１０１は、歩く動作をするものの、表示画面１００上では移動せず、常に表示画面１００の中央部で左方向に歩く動作をしている）、これを見た閲覧者（以下、ユーザという）は、直感的にかつ瞬時にこの人物画像１０１の三次元的な動きを理解し、どの方向に移動動作をしているかを認識できる。
【００２９】
また、表示画面１００のかかる表示画像を閲覧したユーザは、表示画面１００において、歩いている人物画像１０１の進行方向とは反対側の後ろ側領域１０３よりも、人物画像１０１の進行方向の領域、即ち、人物画像１０１の前方側領域１０２の方に意識が集中することが実験によってわかった。従って、かかる表示画面１００でユーザを案内する目的地名を文字などで表わす情報（目的地表示情報）を表示する場合には、この前方側領域１０２にかかる目的地表示情報を表示した方が、後ろ側領域に表示するよりも、かかる目的地表示情報が目立ち易く、迅速かつ的確に把握できて理解し易くなる。
【００３０】
本発明は、かかる概念に基づくものであり、以下、本発明の実施形態を図面を用いて説明する。
【００３１】
図２は本発明による情報表示端末の一実施形態とこれに接続された中央制御端末とからなる情報表示システムの一具体例を示すシステム構成図であって、１は情報表示端末、２は制御部、３は表示部、４は記憶部、５は時計部、６はセンサ部、７ａ，７ｂは通信部、８は中央制御端末、９は制御部、１０は表示部、１１は記憶部、１２は時計部、１３は入力部である。
【００３２】
同図において、情報表示端末１は、制御部２，表示部３，記憶部４，時計部５及びセンサ部６から構成されており、図１で説明した概念に基づいた経路案内情報を表示部３に表示するものであって、かかる経路案内情報が記憶部４に記憶されている。ここで、経路案内情報とは、図１（ａ）について見ると、表示画面１００に表示される経路案内のための画像の情報であって、ここでは、歩き動作をする人物画像１０１やその前方側領域１０２に表示される画像である。
【００３３】
制御部２は、各部を制御するとともに、記憶部４から必要な経路案内情報を読み取り、これを処理して図１で説明した概念に基づく経路案内画像を作成し、表示部３に供給して図１（ａ）に示すように表示させる。
【００３４】
また、センサ部６はこの情報表示端末１の設置場所周辺の通行量や明るさを検出しており、制御部２は、このセンサ部６の検出結果に応じて、表示部３での経路案内画像の表示形態を調整する。例えば、通行量が多い場合には、表示される人物画像１０１（図１（ａ））の歩きを速くし、また、暗いときには、表示画面１００（図１（ａ））の輝度を高めて明るくする。
【００３５】
さらに、時計部５は日々の時刻を検出するものであって、制御部２は、この時計部５の検出時刻を基に、情報表示端末５の動作の開始や停止のタイミングの制御、一日を所定の時間帯に区切り、夫々の時間帯に応じて表示部３での経路案内画像を切り替えたりする。
【００３６】
中央制御端末８は、通信部７ｂ，制御部９，表示部１０，記憶部１１，入力部１３及び時計部１２とから構成されており、通信部７ｂがネットワーク（図示せず）を介して情報表示端末１の通信部７ａと接続されて、情報表示端末１との間の通信を可能としている。なお、ネットワークとしては、有線方式であっても、無線方式であってもよい。
【００３７】
なお、ここでは、１つの情報表示端末１を示しているが、通常２以上の情報表示端末１が中央制御端末８と接続されており、中央制御端末８は夫々の情報表示端末と上記のネットワークを介して通信をすることができる。
【００３８】
中央制御端末８において、記憶部１１には、各情報表示端末１の経路案内情報が格納されており、制御部９は、夫々の情報表示端末１に、その情報表示端末１に必要な時期に、該当する必要な経路案内情報を記憶部１１から読み取って供給する。時計部１２は、例えば、時間単位、あるいは日にち単位で時間計測しており、制御部９は、この時計部１２の計測結果に基づいて、例えば、季節などの期間の移り変わりなどを検出し、その検出結果に応じて、いずれかの情報表示端末１にそれに該当する経路案内情報を送信する。情報表示端末１では、通信部７ａでかかる経路案内情報を受信すると、記憶部４に格納し、上記のように、かかる経路案内情報を適宜使用して表示部３に経路案内画像を表示させる。
【００３９】
中央制御端末８において、入力部１３は追加する新たな経路案内情報を入力するためのものである。いずれかの情報表示端末１に対して新たな経路案内画像を追加する場合には、操作者が表示部１０を用いながら入力部１３からこの情報表示端末１に対して新たに追加する経路案内情報を入力する。この入力された経路案内情報は、入力部１３の操作に伴って、制御部９により、該当する情報表示端末１に対応付けられて記憶部１１に記憶される。
【００４０】
次に、図２における表示部３の表示画面に表示される経路案内画像の具体例について説明する。
【００４１】
図３は図２における情報表示端末１で表示される経路案内画像の具体例を示す図であって、１４，１４ａは表示画面、１５は経路案内画面、１６は行動画像、１６ａは実人物画像、１６ｂは擬似人物画像、１６ｃは点画人物画像、１６ｄは線画人物画像、１６ｅは動物画像、１７は目的地表示情報の画像であり、図２に対応する部分には同一符号をつけて重複する説明を省略する。
【００４２】
同図において、この具体例は、情報表示端末１が通路の床面や壁面に設置されている場合を示すものである。この情報表示端末１の表示画面１４，１４ａには、目的地への歩く行動をしている行動画像１６とこの目的地を表わす目的地表示情報の画像１７とからなる経路案内画面１５が表示される。
【００４３】
各情報表示端末１毎のかかる行動画像１６と目的地表示情報の画像１７との画像情報、即ち、経路案内情報が、図２における中央制御端末８において、記憶部１１に記憶されているものであって、例えば、時計部１２の時刻情報を基に、毎日中央制御端末８が所定時間に起動すると、制御部９により、夫々の情報表示端末１にそれに該当する経路案内情報が記憶部１１から読み出されて、起動指令情報とともに、その情報表示端末１に送信される。情報表示端末１では、この起動指令情報を受信すると、制御部２が起動し、経路案内情報を記憶部４に記憶する。そして、時計部５からの時刻情報を基に、例えば、店舗の開店時間や駅の事業開始時刻になると、制御部２は記憶部４から必要な経路案内情報を読み出して行動画像１６と目的地表示情報の画像１７とからなる経路案内画面１５を作成し、表示部３に供給する。これにより、表示部３の表示画面にかかる経路案内画面１５が表示される。また、制御部２は、時計部５からの時刻情報を基に、時刻を監視しており、予め決められた所定の時刻に応じて経路案内画面１５を変更修正させることができる。
【００４４】
次に、経路案内画面１５を具体的に説明する。
【００４５】
図３（ａ）は表示部３の表示画面１４として液晶画面を用いた場合を示すものであって、この表示画面１４には、経路案内画面１５の経路案内情報の画像として、歩く動作をする行動画像１６が、実際の人物の画像、即ち、実人物画像１６ａで表示され、その実人物画像１６ａの進む方向の前側領域（図１（ａ）での前側領域１０２に相当。以下、同様）に目的地を表わす目的地表示情報の画像（ここでは、文字画像）１７が表示される。この目的地表示情報の画像１７は、ここでは、文字「地下鉄改札口」と表示されるものであり、従って、目的地である「地下鉄改札口」は、実人物画像１６ａの歩く方向、即ち、表示画面１４に向かって左の方向にあることが示されている。
【００４６】
図３（ｂ）も表示部３の表示画面１４として液晶画面を用いた場合を示すものであって、この表示画面１４には、経路案内画面１５の経路案内情報の画像として、歩く動作をする行動画像１６が、人物を擬似的に表わした画像、即ち、擬似人物画像１６ｂで表示され、その擬似人物画像１６ｂの前側領域に目的地を表わす目的地表示情報の画像（ここでも、文字画像）１７が表示される。この目的地表示情報の画像１７も、ここでは、文字「地下鉄改札口」としており、従って、目的地である「地下鉄改札口」は、擬似人物画像１６ｂの歩く方向、即ち、表示画面１４に向かって左の方向にあることが示されている。
【００４７】
図３（ｃ）は掲示板型の表示部３を示すものてあって、その表示画面１４ａとしては、ＬＥＤなどからなるドットマトリックスディスプレイを用いた場合を示している。この表示画面１４ａには、経路案内画面１５の経路案内情報の画像として、歩く動作をする行動画像１６が、人物を点画に表わした画像、即ち、点画人物画像１６ｃで表示され、その点画人物画像１６ｃの前側領域に目的地を表わす目的地表示情報の画像（ここでも、文字画像）１７が表示される。この目的地表示情報の画像１７も、ここでは、文字「出口」としており、従って、目的地である「出口」は、点画人物画像１６ｃの歩く方向、即ち、表示画面１４に向かって左の方向にあることが示されている。
【００４８】
図３（ｄ）は表示部３の表示画面１４ａとして液晶画面を用いた場合を示している。この表示画面１４ａには、経路案内画面１５の経路案内情報の画像として、歩く動作をする行動画像１６が、人物を線画に表わした画像、即ち、線画人物画像１６ｄで表示され、その線画人物画像１６ｄの前側領域に目的地を表わす目的地表示情報の画像（ここでも、文字画像）１７が表示される。この目的地表示情報の画像１７は、ここでは、文字「地下鉄改札口」としており、従って、目的地である「地下鉄改札口」は、線画人物画像１６ｄの歩く方向、即ち、表示画面１４に向かって左の方向にあることが示されている。
【００４９】
図３（ｅ）は表示部３の表示画面１４ａとして液晶画面を用いた場合を示している。この表示画面１４ａには、経路案内画面１５の経路案内情報の画像として、歩く動作をする行動画像１６が、犬などの動物を表わした画像、即ち、動物画像１６ｅで表示され、その動物画像１６ｅの前側領域に目的地を表わす目的地表示情報の画像（ここでも、文字画像）１７が表示される。この目的地表示情報の画像１７は、ここでは、文字「地下鉄改札口」としており、従って、目的地である「地下鉄改札口」は、動物画像１６ｅの歩く方向、即ち、表示画面１４に向かって左の方向にあることが示されている。なお、かかる動物画像１６ｅとしては、図３（ａ）に示すような実動物画像であってもよいし、図３（ｂ），（ｃ），（ｄ）に示すような擬似動物画像，点画動物画像，線画動物画像のいずれかであってもよい。
【００５０】
このように、行動画像１６が歩く行動を実行していることにより、目立ち易い画像となり、この行動画像１６の進行方向の前側領域に目的地を表わす目的地表示情報の画像１７が表示されるので、この目的地表示情報の画像１７は行動画像１６の認識とともに直ちに認識されることになり、また、ユーザが希望する目的地の経路案内画面１５を表示した情報表示端末の表示画面１４が見つけ易いものとなる。
【００５１】
図４は図２における情報表示端末１に表示される経路案内画面１５の他の具体例を示す図であって、１８は矢印、１９はピクトグラム（絵文字）であり、図３に対応する部分には同一符号をつけて重複する説明を省略する。
【００５２】
図４（ａ）に示す具体例は、図３に示す各具体例に対し（ここでは、図３（ｂ）の具体例を例に示している）、目的地表示情報の画像１７として、目的地を表わす文字に、目的地の方向を指す矢印１８が付加されて表示されるものである。この矢印はこの目的地を表わす文字よりも目的地側（ここでは、左側）に表示される。
【００５３】
また、図４（ｂ）に示す具体例は、図３に示す各具体例に対し（ここでも、図３（ｂ）の具体例を例に示している）、目的地表示情報の画像１７をピクトクラム１９で表わしたものである。ここでは、目的地表示情報を「地下鉄改札口」としており、目的地表示情報の画像１７としてのピクトクラム１９は、地下鉄の絵でもって「地下鉄改札口」を表わしている。このピクトグラム１９も、当然文字による目的地表示情報の画像１７と同様、行動画像１６（ここでは、擬似人物画像１６ｂ）の前側領域に表示される。
【００５４】
このように、この具体例においても、経路案内画面１５として、行動画像１６が表示され、この行動画像１６の前側領域に矢印１８を含む目的地表示情報の画像１７やピクトグラム１９としての目的地表示情報の画像１７が表示されるので、図３に示す具体例と同様の効果が得られることになる。
【００５５】
図５は図３，図４に示す情報表示端末１とは設置状態が異なる情報表示端末１に表示される経路案内画面１５の具体例を示す図であって、２０は天井であり、図３，図４に対応する部分には同一符号をつけて重複する説明を省略する。
【００５６】
同図において、この情報表示端末１は天井２０などの高い場所から吊り下げられた状態で設置されたものであって、その表示画面１４に表示される経路案内情報画面１５は、先の図４，図５に示した具体例と同様である。従って、得られる具体例も、かかる具体例と同様である。
【００５７】
図６は図３〜図５に示す具体例とは異なる方向の案内経路を示す経路案内画面１５の他の具体例を示す図であって、図３〜図５に示す具体例に対応する部分には同一符号を付けて重複する説明を省略する。
【００５８】
図６（ａ）は真っ直ぐ先に進む案内経路を示すものであって、この場合には、経路案内画面１５として、行動画像１６は真っ直ぐ先に進むように歩く動作をし、目的地表示情報の画像１７は、表示画面１４の上側で、行動画像１６の向う側にあるように表示される。
【００５９】
また、図６（ｂ）は真っ直ぐ後ろに進む案内経路を示すものであって、この場合には、経路案内画面１５として、行動画像１６は真っ直ぐ後ろに進むように歩く動作をし、目的地表示情報の画像１７は、表示画面１４の下側で、行動画像１６の手前側にあるように表示される。
【００６０】
このように、この具体例も、先の具体例と同様の効果が得られる。
【００６１】
図７は電車の乗降車口に設けられる情報表示端末１での案内経路画像の一具体例を示す図であって、２１はドアであり、前出図面に対応する部分には同一符号を付けて重複する説明を省略する。
【００６２】
図７（ａ）に示す具体例は、駅に到着する電車でのこの情報表示端末装置１が設置されている側のドア２１が開く場合の案内経路画像を示すものであって、この場合には、経路案内画面１５として、ドア２１が開いた状態で複数の行動画像１６が、このドア２１を出ていくように、歩いている状態で示され、また、「こちらが開きます」といったようなメッセージで目的地表示情報の画像１７がドア２１の上側に表示される。この場合の目的地は、到着する駅のホームということになる。
【００６３】
図７（ｂ）に示す具体例は、駅に到着する電車でのこの情報表示端末装置１が設置されている側とは反対側のドア２１が開く場合の案内経路画像を示すものであって、この場合には、経路案内画面１５として、ドア２１が閉じた状態で複数の行動画像１６が、このドア２１とは反対側に向かって歩いている状態で示され、また、「反対側が開きます」といったようなメッセージで目的地表示情報の画像１７がドア２１の上側に表示される。なお、この目的地表示情報の画像１７は、複数の行動画像１６の手前側で表示画面１４の下側に表示されるようにしてもよい。
【００６４】
このように、この具体例も、先の具体例と同様の効果が得られる。
【００６５】
図８は図３，図４に示す情報表示端末１で表示される経路案内画面１５と図５に示す情報表示端末１で表示される経路案内画面１５との他の表示例を示す図であって、１Uは上側設置情報表示端末、１Dは下側設置情報表示端末、１４Ｕ，１４Ｄは表示画面、１５U，１５Dは経路案内画面、１６U，１６Dは行動画像、１７U，１７Dは目的地表示情報の画像、２２はユーザ、２３U，２３Dは丸型領域、２４は路面、ＳＬU，ＳＬDは視線であり、前出図面に対応する部分には同一符号をつけて重複する説明を省略する。
【００６６】
同図において、ここでは、天井２０に取り付けられる情報表示端末１を上側設置情報表示端末１Uとし、路面２４に設置される情報表示端末１を下側設置情報表示端末１Dとしている。
【００６７】
上側設置情報表示端末１Uでの行動画像１６Uと目的地表示情報の画像１７Uとからなる経路案内画面１５Uを表示している表示画面１４Uはユーザ２２によって見上げて見られるものであって、このときのユーザ２２の視線ＳＬUは斜め上向きとなる。また、この表示画面１４Uでは、丸型領域２３Uが表示され、その丸型領域２３U内で経路案内画面１５Uでの行動画像１６Uが、上記のように、歩く動作を行ない、この表示される行動画像１６Uをユーザ２２が斜め下から見上げて見ているように、この丸型領域２３Uが斜め下から見上げられているときのような形状で表示される。この場合、行動画像１６Uの向きを変えることにより、その歩く方向（従って、目的地の方向）も表わすことができる。
【００６８】
下側設置情報表示端末１Dでの行動画像１６Dと目的地表示情報の画像１７Dとからなる経路案内画面１５Dを表示した表示画面１４Dはユーザ２２によって見下ろして見られるものであって、このときのユーザ２２の視線ＳＬDは斜め下向きとなる。また、この表示画面１４Dでは、丸型領域２３Dが表示され、その丸型領域２３D内で経路案内画面１５Dでの行動画像１６Dが、上記のように、歩く動作を行ない、この表示される行動画像１６Dをユーザ２２が斜め上から見下ろして見ているように、この丸型領域２３Dが斜め上から見下ろされているときのような形状で表示される。この場合、行動画像１６Dの向きを変えることにより、その歩く方向も表わすことができる。
【００６９】
このように、この具体例においても、上記の各具体例と同様の効果が得られるとともに、行動画像の歩く方向、従って、目的地の方向もより明確に表わすようにすることもできる。
【００７０】
図９は図８に示す具体例の経路案内画面１５の変形例を示す図であって、２５ａは床面画像、２５ｂは階段画像であり、前出画面に対応する部分には同一符号を付けて重複する説明を省略する。
【００７１】
図９（ａ）は表示情報端末１からの目的地へ向かう案内経路が床面である場合の経路案内画面１５を示すものであって、この床面を表わす床面画像２５ａが表示される。この床面画像２５ａは行動画像１６の歩く動作とともにその歩く方向とは逆方向に移動する。これにより、行動画像１６は、歩く動作をするが、先の具体例と同様、表示画面１４でのその表示位置は変化しない。また、行動画像１６の向きは、図８に示す具体例と同様、目的地の方向に向いているが、これとともに、床面画像２５ａもその方向を表わすように表示される。また、この床面画像２５ａは、図８（ａ），（ｂ）に示す具体例と同様、見上げて見えるように表示されるし、見下ろして見えるように表示される。
【００７２】
図９（ｂ）は表示情報端末１からの目的地へ向かう案内経路が階段である場合の経路案内画面１５を示すものであって、この階段を表わす階段画像２５ｂが表示される。この階段画像２５ｂは、図８（ａ），（ｂ）に示す具体例と同様、見上げて見えるように表示されるし、見下ろして見えるように表示され、また、行動画像１６の歩く動作とともにその歩く方向（ここでは、階段を上る方向）とは逆方向に移動する。行動画像１６は、上る動作をするが、先の具体例と同様、その表示位置は変化しない。また、行動画像１６の向きは、図８に示す具体例と同様、目的地の方向に向いているが、これとともに、階段画像２５ｂもその方向を表わすように表示される。案内経路が下る階段である場合も同様である。
【００７３】
なお、これら図９（ａ），（ｂ）に示す具体例では、かかる案内経路画面１５（ここでは、床面画像２５ａや階段画像２５ｂ）を図８（ａ），（ｂ）に示す丸型領域２３U，２１D内に表示するようにしてもよい。以上以外の構成については、先の具体例と同様である。
【００７４】
以上のように、この具体例では、先の具体例と同様の効果が得られるとともに、ユーサ２２は目的地に向かう案内経路の種類も明確に認識することができて、明確に目的地に向かう経路を把握できる。
【００７５】
図１０は図１に示す情報表示端末１で表示される経路案内画面１５のさらに他の具体例を示す図であって、前出図面に対応する部分には同一符号を付けて重複する説明を省略する。
【００７６】
この具体例は、２か所の目的地を案内する経路案内画面１５の一例を示すものであって、図１０（ａ）に示す経路案内画面１５と図１０（ｂ）に示す経路案内画面１５とを所定時間経過毎に交互に表示するものである。
【００７７】
即ち、このときの情報表示端末１が目的地としての「地下鉄改札口」への経路と「トイレ」への経路との分岐点に設置されている場合のものであって、この情報表示端末１でこれらの目的地を案内するものとする。
【００７８】
図１０（ａ）に示す経路案内画面１５が表示画面１４で表示されている状態が所定時間経過すると、制御部２（図２）は、この時間経過を時計部５（図２）からの時刻情報から検出することにより、記憶部４（図２）から図１０（ｂ）に示す経過案内画面１５の経過案内情報を読み取り、この経路案内画面１５を作成して表示部３（図２）に供給し、図１０（ａ）に示す経路案内画面に代えて表示させる。そして、図１０（ｂ）に示す経路案内画面１５の表示状態が所定時間（上記の所定時間に等しくても、異なってもよい）経過すると、同様にして、制御部２が図１０（ａ）に示す経路案内画面１５を作成し、表示部３に表示させる。
【００７９】
なお、ここでは、２個の異なる目的地の経路を案内するものとしたが、３個以上の異なる経路案内画面１５を所定時間毎に純に繰り返し表示することにより、３個以上の異なる目的地の経路を案内するようにしてもよい。
【００８０】
このように、時計部５からの時間情報を基にかかる表示動作を繰り返すことにより、同じ情報表示端末１で複数の異なる目的地の経路案内をすることができる。経路案内画面１５は先の具体例と同様であり、従って、先の具体例と同様の効果も得られる。
【００８１】
図１１は図１に示す情報表示端末１で表示される経路案内画面のさらに他の具体例を示す図であって、１５ａ，１５ｂは経路案内画面、２６ａ，２６ｂは表示エリアであり、前出図面に対応する部分には同一符号を付けて重複する説明を省略する。
【００８２】
この具体例も、２か所の目的地を案内する経路案内画面の他の例を示すものであるが、これら経路案内画面を同図に表示するようにしたものである。
【００８３】
図１１（ａ）はユーザ共通の異なる目的地の経路を案内するものであって、情報表示端末１の表示画面を複数（この場合、２個）の表示エリア２６ａ，２６ｂに分割し、夫々の表示エリア２６ａ，２６ｂに異なる目的地の経路案内画面１５ａ，１５ｂを表示するようにする。ここでは、地下鉄改札口への左方向の経路を案内する行動画像１６と目的地表示情報の画像１７との経路案内画面１５ａが左側の表示エリア２６ａに表示され、トイレへの右方向の経路を案内する行動画像１６と目的地表示情報の画像１７との経路案内画面１５ｂが左側の表示エリア２６ａに表示されている場合を示している。これら行動画像１６と目的地表示情報の画像１７との表示の仕方は、先の具体例と同様である。
【００８４】
図１１（ｂ）はユーザに応じて異なる目的地の経路を案内するものであって、夫々の目的地が異なる方向にある場合を示すものである。ここでは、目的地としては、例えば、男女のユーザに応じて異ならせるものであり、例えば、男女に応じて情報表示端末１の表示画面を表示エリア２６ａ，２６ｂに分割し、夫々の表示エリア２６ａと表示エリア２６ｂとに異なるユーザの目的地の経路案内画面１５ａ，１５ｂを表示するようにする。ここでは、左側にある男子のユーザのトイレへの左方向の経路を案内する行動画像１６と目的地表示情報の画像１７との経路案内画面１５ａが左側の表示エリア２６ａに表示され、右側にある女子のユーザのトイレへの右方向の経路を案内する行動画像１６と目的地表示情報の画像１７との経路案内画面１５ｂが右側の表示エリア２６ｂに表示されている場合を示している。これら行動画像１６と目的地表示情報の画像１７との表示の仕方は、先の具体例と同様であるが、行動画像１６としては、男女を明確にするために、実人物画像１６ａとする。
【００８５】
なお、図１１（ａ），（ｂ）においては、表示画面１４で２か所の目的地への経路を案内するものとしたが、横長の表示画面１４の情報表示端末１を用いることにより、３か所以上の目的地の経路案内画面１５を表示するようにしてもよい。
【００８６】
以上のように、この具体例では、同じ情報表示端末１で複数の異なる目的地の経路案内を同時にすることができる。経路案内画面１５は先の具体例と同様であり、従って、先の具体例と同様の効果も得られる。
【００８７】
図１２は図１に示す情報表示端末１で表示される経路案内画面１５のさらに他の具体例を示す図であって、１５Sは静止画経路案内画面、１５Mは動画経路案内画面、１６Sは静止画行動画像、１６Mは動画行動画像であり、前出画面に対応する部分には同一符号を付けて重複する説明を省略する。
【００８８】
この具体例は、例えば、非常口のように、特定の状況で使用される目的地への経路案内をするものであって、図２に示す情報表示端末１はかかる特定の状況を検するセンサ部６を備えている。記憶部４には、通常の状況での経路案内画面１５の情報と特定の状況の経路案内画面１５の情報とが記憶されており、センサ部６の検出結果に応じて制御部２が記憶部４からその検出された状況に応じた情報を読み出し、経路案内画面１５を作成して表示部３で表示させる。
【００８９】
以下では、この具体例で経路が案内される目的地を非常口とする。
【００９０】
図１２（ａ）は通常の状況（正常な状況）字に表示画面１４に表示される静止画経路案内画面１５Sを示すものであって、走る動作をしている静止画行動画像１６Sが静止画像で表示されており、目的地表示情報の画像１７はこの静止画行動画像１６Sが走る方向とは逆の方向、即ち、行動画像１６Sの後ろ側に表示されている。
【００９１】
非常口が使われる異常な状況になると、図１２（ｂ），（ｃ），（ｄ）に示す順で、かつ繰り返し動画経路案内画面１５Mが表示画面１４に表示される。この場合の動画行動画像１６Mは走るあるいは急いで歩く状態の動画で示されるものであり、図１２（ｂ），（ｃ），（ｄ）の順に走るあるいは急いで歩く状態が表わされている。但し、先の具体例と同様、この動画行動画像１６Mの表示位置は、先の具体例と同様、表示画面１４の決まった位置、例えば、中央部に表示され、かつ目的地表示情報の画像１７はこの動画行動画像１６Mの前側に表示される。
【００９２】
このことからして、この具体例も、非常口などの経路案内について、先の具体例と同様の効果が得られる。
【００９３】
図１３は図１に示す情報表示端末１で表示される経路案内画面１５のさらに他の具体例を示す図であって、この具体例の例を図１３（Ａ）〜（Ｃ）で示している。なお、１６’，１６”は行動画像であり、前出図面に対応する部分には同一符号を付けて重複する説明を省略する。
【００９４】
図１３（Ａ）に示す具体例は、一例として、目的地が現地点（この情報表示端末１が設置されている位置であって、ここでは、この現地点は表示画面１４の右端部となる）から見て左方向にある場合の経路案内画面１５を示すものであって、図１３（Ａ）（ａ）は、行動画像１６が、矢印で示すように、左方向に歩いて移動していく動画として表示されるものである。ここで、実線で示す行動画像１６は現時点での現地点から或る程度歩いたときの行動画像の位置と状態を示し、この行動画像１６の右側の表示画面１４の右端に破線で示す行動画像１６’は現時点より前の現地点での行動画像の位置と状態を示し、この行動画像１６の左側に破線で示す行動画像１６”は現時点よりも後の行動画像１６の地点からさらに或る程度歩いた行動画像の位置と状態を示すものである。
【００９５】
目的地表示情報の画像１７は、表示画面１４での行動画像１６の前側の端部に表示され、行動画像１６が進んでこの目的地表示情報の画像１７の後ろ側に隠れると、表示画面１４の右側（現地点）から再び行動画面１６が現われ左方向に歩いていく。
【００９６】
図１３（Ａ）（ｂ）は図１３（Ａ）（ａ）に示す経路案内画面１５の各瞬時の経路案内画面１５を示すものであって、同図において、経路案内画面１５-1は図１３（Ａ）（ａ）での現時点より前の現地点での経路案内画面１５を示すものであり、経路案内画面１５0は図１３（Ａ）（ａ）での現時点での現時点より或る程度歩いたときの経路案内画面１５を示すものであり、経路案内画面１５+1は図１３（Ａ）（ａ）での現時点よりも後の時点での経路案内画面１５を示すものである。
【００９７】
勿論これら経路案内画面１５0，１５+1，１５-1間にも、夫々該当する行動画像１６の位置，状態を表わす経路案内画面１５が表示されるものであるが、ここでは、これら経路案内画面１５0，１５+1，１５-1を代表として示している。
【００９８】
これら経路案内画面１５0，１５+1，１５-1が、この順に繰り返し表示されることにより、図１３（Ａ）（ａ）に示す行動画像１６が歩いて移動していく経路案内画面１５が表示される。
【００９９】
なお、この具体例では、行動画像１６が左側の目的地に向かって左方向に移動するものであるから、この情報表示端末１の設置位置に相当する表示画面１４上の位置はこの表示画面１４の右端部となるが、行動画像１６が右側の目的地に向かって右方向に移動する場合には、この情報表示端末１の設置位置に相当する表示画面１４上の位置はこの表示画面１４の左端部となる。
【０１００】
図１３（Ｂ）に示す具体例は、一例として、目的地が現地点から見て左斜め方向にある場合の経路案内画面１５を示すものであって、図１３（Ｂ）（ａ）に示すように、行動画像１６が、矢印で示すように、左斜め方向に歩いて移動していく動画として表示されるものである。この場合、この行動画像１６は、その進行方向（表示画面１４上で左斜め上方向）を向いた姿勢で表示される。ここで、実線で示す行動画像１６は現時点での現地点から或る程度歩いたときの行動画像の位置と状態を示し、この行動画像１６の右側の行動画像１６’は現時点よりも前の時点での現地点の行動画像の位置と状態を示し、この行動画像１６の左側の行動画像１６”は現時点よりも後の時点での行動画像１６よりさらに或る程度歩いた地点での行動画像の位置と状態を示すものである。この場合、右側の行動画像１６’は、行動画像１６よりも現地点で進行方向手前側にあるものとして、行動画像１６よりも大きく表示され、左側の行動画像１６”は、行動画像１６よりも進行方向向う側にあるものとして、行動画像１６よりも小さく表示される。
【０１０１】
目的地表示情報の画像１７は、表示画面１４での行動画像１６の前側の端部であるが、さらに、行動画像１６の進行方向にあるように表示され（この場合、表示画面１４の左上角部）、行動画像１６が進んでこの目的地表示情報の画像１７の後ろ側に隠れると、表示画面１４の右側から再び現地点から進む行動画面１６’が現われて左方向に歩いていく。
【０１０２】
図１３（Ｂ）（ｂ）は図１３（Ｂ）（ａ）に示す経路案内画面１５の各瞬時の経路案内画面１５を示すものであって、同図において、経路案内画面１５-1は図１３（Ｂ）（ａ）での現時点よりも前の現地点に行動画像１６’が或る場合の経路案内画面１５を示すものであり、経路案内画面１５0は図１３（Ｂ）（ａ）での現時点での経路案内画面１５を示すものであり、経路案内画面１５+1は図１３（Ｂ）（ａ）での現時点よりも後の時点での経路案内画面１５を示すものである。
【０１０３】
勿論これら経路案内画面１５0，１５+1，１５-1間にも、夫々該当する行動画像１６の位置，状態を表わす経路案内画面１５が表示されるものであるが、ここでは、これら経路案内画面１５0，１５+1，１５-1を代表として示している。
【０１０４】
これら経路案内画面１５0，１５+1，１５-1が、この順に繰り返し表示されることにより、図１３（Ｂ）（ａ）に示す行動画像１６が歩いて移動していく経路案内画面１５が表示される。
【０１０５】
なお、この具体例では、行動画像１６が左斜め方向の目的地に向かって左斜め方向に移動するものであるから、この情報表示端末１の設置位置に相当する表示画面１４上の位置はこの表示画面１４の右端部となるが、行動画像１６が右斜め方向の目的地に向かって右斜め方向に移動する場合には、この情報表示端末１の設置位置に相当する表示画面１４上の位置はこの表示画面１４の左端部となる。
【０１０６】
図１３（Ｃ）に示す具体例は、一例として、目的地が、現地点から見て、左横方向に進んで途中から左斜め方向に進む方向にある場合の経路案内画面１５を示すものであって、図１３（Ｃ）（ａ）に示すように、行動画像１６が、矢印で示すように、左斜め方向に歩いて移動していき、その途中で左斜め方向に移動していくように、動画として表示されるものである。この場合、この行動画像１６は、その進行方向（表示画面１４上で左方向）を向いた姿勢で表示され、途中で左斜め方向に進むようになると、その方向に向いた姿勢で表示されるようになる。ここで、実線で示す行動画像１６は現時点での現地点から所定距離歩いた地点での行動画像の位置と状態を示し、この行動画像１６の右側の行動画像１６’は現時点よりも前の現地点での行動画像の位置と状態を示し、この行動画像１６の左側の行動画像１６”は現時点よりも後の行動画像１６の地点から或る程度歩いたときの地点での行動画像の位置と状態を示すものである。この場合、現地点から現時点までの行動画像１６’，１６は、左横を向いた大きさが同じ行動画像１６であり、行動画像１６の左側の行動画像１６”は、左斜めに進行したものであることから、行動画像１６’，１６よりも小さく、左斜めを向いた姿勢で表示される。即ち、左斜め方向に進むとともに、行動画像１６は順次小さくなっていく。
【０１０７】
目的地表示情報の画像１７は、表示画面１４での行動画像１６の前側の端部であるが、さらに、行動画像１６の進行方向に合うように表示され（この場合、表示画面１４の左上角部）、行動画像１６が進んでこの目的地表示情報の画像１７の後ろ側に隠れると、表示画面１４の右側から再び行動画面１６’が現われて左方向に歩いていく。なお、目的地表示情報の画像１７は、行動画像１６が左方向に進むときには、その進行方向の表示画面１４の端部に表示され、行動画像１６が斜め上方向にその進行方向が変化すると、これに伴って目的地表示情報の画像１７の表示位置も、行動画像１６の進行方向、即ち、表示画面１４の左上角部に変更されるようにしてもよい。
【０１０８】
図１３（Ｃ）（ｂ）は図１３（Ｃ）（ａ）に示す経路案内画面１５の各瞬時の経路案内画面１５を示すものであって、同図において、経路案内画面１５-1は図１３（Ｃ）（ａ）での現時点よりも前の時点での現地点の経路案内画面１５を示すものであり、経路案内画面１５0は図１３（Ｃ）（ａ）での現時点での経路案内画面１５を示すものであり、経路案内画面１５+1は図１３（Ｃ）（ａ）での現時点よりも後の時点での進行方向を変えた場合の経路案内画面１５を示すものである。そして、行動画像１６”が目的地表示情報の画像１７の後ろに隠れるようになると、表示画面１４の右端の現地点に相当する位置から行動画像１５-1から現われる経路案内画面１５-1となる。
【０１０９】
勿論これら経路案内画面１５0，１５+1，１５-1間にも、夫々該当する行動画像１６の位置，状態を表わす経路案内画面１５が表示されるものであるが、ここでは、これら経路案内画面１５0，１５+1，１５-1を代表として示している。
【０１１０】
これら経路案内画面１５0，１５+1，１５-1が、この順に繰り返し表示されることにより、図１３（Ｃ）（ａ）に示す行動画像１６が歩いて移動していく経路案内画面１５が表示される。
【０１１１】
このように、図１３に示す具体例では、歩きの行動をする行動画像１６とともに、目的地表示情報の画像１７がこの行動画像１６の前側に表示されるものであるから、先の各具体例と同様の効果が得られるが、さらに、行動画像１６が実際に歩いているように移動しながら表示されるので、さらに目立ちやすい表示状態となっており、ユーザをより引き付け易いものとなっている。
【０１１２】
なお、この例では、この情報表示端末１の設置位置に相当する表示画面１４上の位置は、先の例と同様、行動画像１６の移動方向に応じて、この表示画面１４の左端部もしくは右端部となる。
【０１１３】
図１４は図１に示す情報表示端末１で表示される経路案内画面１５のさらに他の具体例を示す図であって、前出図面に対応する部分には同一符号を付けて重複する説明を省略する。
【０１１４】
この具体例は、経路案内画面１５において、図１３に示した具体例のように、目的地表示情報の画像１７が現地点からの方向の表示画面１４の端部に表示され、行動画像１６が目的地の方向に歩きながら移動していくものであるが、複数の行動画像１６が全て目的地表示情報の画像１７の表示位置に向かって移動していくものであり、この点が図１３に示す具体例と異なるものである。この場合、各行動画像１６は、現時点に相当する表示画面１４上の位置から離れるにつれて大きさが小さくなっていく。
【０１１５】
このように、この具体例では、図１３に示される具体例と同様の効果が得られるものであるが、さらに、大勢の行動画像１６が目的地に向かって一斉に移動した状態が表示されるので、さらに、目的地表示情報の画像１７が目立った状態となり、目的地の経路をより容易に認識することが可能となる。
【０１１６】
なお、この具体例では、この情報表示端末１の設置位置に相当する表示画面１４上の位置（上記の現地点）は、表示画面１４で表示される経路案内画面１５がこの表示画面１５に相当する位置からの三次元空間として表わされているとして、表示画面１４の位置とする。従って、この表示画面１４上のいずれでも、そこに表示される行動画像１６が最も大きく表示され、この位置から離れるにつれて小さくなっていく。
【０１１７】
なお、以上の各具体例での経路案内画面１５において、図２での時刻部５やセンサ部６の検出結果に応じて、各行動画像１６の行動速度（歩く速度など）を変化させることができる。例えば、出勤時や退社時などラッシュ時や休日などの通行量が多いときなどの場合には、行動画像１６の行動速度を速くしてユーザが速く進むように誘導し、また、昼時などの高齢者や買物客が多い時間帯では、行動画像１６の行動速度を遅くしてユーザがゆっくりと歩くように誘導する。
【０１１８】
ところで、以上の経路案内画面１５は店舗内や駅構内の通路に設置された情報表示端末１に表示されるものであったが、この情報表示端末１としては携帯電話や携帯情報端末などの端末であってもよい。
【０１１９】
図１５はかかる携帯情報端末に表示される経路案内端末２７の表示画面２８に表示された経路案内画面１５を示すものであって、この経路案内画面１５としては、図８に示される経路案内画面１５Dと同様のものが表示されているものとしている。但し、これに限るものではなく、先に説明した具体例の経路案内画面１５が表示されるようにしてもよい。
【０１２０】
図２に示す情報表示端末１が携帯情報端末２７である場合、この携帯情報端末２７が経路案内のサービスエリア内に入り、起動してかかるサービスを受けるための操作がなされると、中央制御端末８からこのサービスを受けるためのプログラムと経路案内情報が提供され、これにより、かかるサービスを受けることができる。
【０１２１】
この場合、携帯情報端末２７では、提供された経路案内情報が記憶部４に記憶されるとともに、センサ６によってこの携帯情報端末２７の位置と向きとが検出され、また、時計部５によって時刻が検出され、制御部２は、提供されたプログラムを基に稼働して、これらセンサ部６と時計部５との検出結果に基づいて、この携帯情報端末２７の現在位置，向き及び時刻に該当する経路案内情報を記憶部４から読み出し、経路案内画面を作成して表示部３に供給する。これにより、図１５に示すように、携帯情報端末２７の表示画面２８に経路案内画面１５が表示される。ここで、この表示画面２８には、この携帯情報端末２７の案内サービスが提供される通路内での位置や向きに応じた経路案内画面１５が表示される。例えば、図１５で示す表示状態で携帯情報端末２７を同じ状態で持ったままユーザが向きを反転すると、経路案内画面１５での行動画像１６と目的地表示情報の画像１７との表示位置関係が反転し、これとともに、行動画像１６の向きが反転する。
【０１２２】
このようにして、携帯情報端末２７によっても、かかる通路内に設置されている情報表示端末１と同様の経路案内画面１５を表示させることができる。
【符号の説明】
【０１２３】
１  情報表示端末
１U  上側設置情報表示端末
１D  下側設置情報表示端末
２  制御部
３  表示部
４  記憶部
５  時計部
６  センサ部
７ａ，７ｂ  通信部
８  中央制御端末
９  制御部
１０  表示部
１１  記憶部
１２  時計部
１３  入力部
１４  表示画面
１５，１５ａ，１５ｂ，１５U，１５D  経路案内画面
１５S  静止画経路案内画面
１５M  動画経路案内画面
１６，１６U，１６D，１６’，１６”  行動画像
１６ａ  実人物画像
１６ｂ  擬似人物画像
１６ｃ  点画人物画像
１６ｄ  線画人物画像
１６ｅ  動物画像
１６S  静止画行動画像
１６M  動画行動画像
１７，１７U，１７D  目的地表示情報の画像
１８  矢印
１９  ピクトグラム（絵文字）
２０  天井
２１  ドア
２２  ユーザ
２３U，２３D  丸型領域
２４  路面
２５ａ  床面
２５ｂ  階段
２６ａ，２６ｂ  表示エリア
２７  携帯情報端末
２８  表示画面
ＳＬU，ＳＬD  視線
【図１】
0005687940.tif 000002
【図２】
0005687940.tif 000003
【図３】
0005687940.tif 000004
【図４】
0005687940.tif 000005
【図５】
0005687940.tif 000006
【図６】
0005687940.tif 000007
【図７】
0005687940.tif 000008
【図８】
0005687940.tif 000009
【図９】
0005687940.tif 000010
【図１０】
0005687940.tif 000011
【図１３（Ａ）】
0005687940.tif 000012
【図１３（Ｂ）】
0005687940.tif 000013
【図１３（Ｃ）】
0005687940.tif 000014
【図１４】
0005687940.tif 000015
【図１５】
0005687940.tif 000016
【図１１】
0005687940.tif 000017
【図１２】
0005687940.tif 000018